【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
申込対象を識別可能な送信先情報を宛先とし、一方向の通信により送信された送信データを受信する受信手段と、
前記受信手段により受信された送信データの送信先情報により識別される申込対象の申込みを受け付けることができない場合に、代替案を識別可能な送信先情報を含む返信データであって当該返信データに更に返信することにより前記代替案での申込みをすることができる返信データを、前記代替案に基づいて作成する返信データ作成手段と、
前記返信データ作成手段により作成された返信データを前記送信データの送信元を宛先として送信する送信手段と、
を備えることを特徴とする情報処理装置。
【請求項２】
前記受信手段が、さらに、前記代替案を識別可能な送信先情報を宛先とする再送信データを受信し、
前記受信手段により受信された再送信データの送信先情報により識別される代替案に係る申込対象の申込みを受け付ける申込受付手段をさらに含む、
ことを特徴とする請求項１に記載の情報処理装置。
【請求項３】
前記作成された返信データに含まれる送信先情報により識別される代替案に係る申込対象の仮申込みを登録する仮申込登録手段と、
前記仮申込みを登録してから所定期間が経過した後、当該仮申込みを取り消す仮申込取消手段と、をさらに備え、
前記申込受付手段は、前記受信手段により受信された再送信データの送信先情報により識別される代替案に係る申込対象が仮申込登録されている場合に、当該仮申込みを正規の申込みとして確定させる、
ことを特徴とする請求項２に記載の情報処理装置。
【請求項４】
前記返信データ作成手段は、代替案を識別可能な送信先情報を複数含む返信データを作成し、
前記仮申込登録手段は、前記作成された返信データに含まれる送信先情報により識別される各代替案に係る申込対象の仮申込みを登録し、
前記仮申込取消手段は、前記申込受付手段により前記仮申込み登録がなされている申込対象が正規の申込みとして確定された場合に、当該申込対象と同時期に仮申込みの登録がなされた他の申込対象に係る仮申込みを取り消す
ことを特徴とする請求項３に記載の情報処理装置。
【請求項５】
前記代替案は申込条件を含み、
前記送信先情報は、申込者が申込条件を推測可能な情報を含むことを特徴とする請求項１乃至４の何れか一項に記載の情報処理装置。
【請求項６】
前記返信データ作成手段により生成された送信先情報を宛先とする再送信データの受信を可能とし、所定期間経過後に、当該生成された送信先情報を宛先とする再送信データの受信を不可能とする送信先情報管理手段をさらに備える、
ことを特徴とする請求項５に記載の情報処理装置。
【請求項７】
前記受信手段が、申込条件をさらに含む前記送信データを受信し、
前記受信手段により受信された送信データの送信先情報により識別される申込対象の申込みを当該送信データに含まれる申込条件のもとで受け付けることができない場合に、当該申込対象と当該申込条件とのうち少なくともいずれかを変更した受付け可能な代替案を検索する検索手段をさらに備え、
前記返信データ作成手段が、前記検索手段により検索された代替案を識別可能な送信先情報を含む返信データを作成する
ことを特徴とする請求項１乃至６の何れか一項に記載の情報処理装置。
【請求項８】
前記受信手段が、前記申込対象とともに申し込まれるべき他の申込対象を識別可能な識別情報を含む前記送信データを受信し、
前記検索手段が、前記受信手段により受信された送信データの送信先情報により識別される申込対象と、当該送信データに含まれる識別情報により識別される他の申込対象とを、当該送信データに含まれる申込条件のもとで受け付けることができない場合に、当該他の申込対象を変更せずに、当該申込対象及び当該他の申込対象の申込みが同一の申込条件のもとで受付け可能な代替案を検索する、
ことを特徴とする請求項７に記載の情報処理装置。
【請求項９】
前記申込対象は、特定の資源であり、
前記他の申込対象は、前記資源を利用するユーザであって複数おり、
前記申込条件は、前記資源の利用開始日時及び利用終了日時を含む利用期間の条件であり、
前記検索手段は、前記他の申込対象が前記同一の申込条件のもとで受付け可能か否かを判定する場合に、一定時間早めた前記利用開始日時と一定時間遅らせた前記利用終了日時との少なくともいずれかを申込条件とする
ことを特徴とする請求項８に記載の情報処理装置。
【請求項１０】
前記代替案は申込条件を含み、
前記返信データ作成手段が、前記申込対象を識別可能な送信先情報と、前記申込条件を含む返信データを作成し、
前記返信データ作成手段により作成された返信データには、当該返信データに含まれる送信先情報が指定された場合に当該送信先情報を宛先とする再送信データであって、当該返信データに含まれる申込条件のうち申込者により指定された申込条件を含む再送信データの作成を補助する補助データが更に含まれ、
前記補助データは前記再送信データの送信先情報及び件名に前記代替案に関する情報を設定することを特徴とする請求項１乃至４の何れか一項に記載の情報処理装置。
【請求項１１】
コンピュータにより実行される情報処理方法であって、
申込対象を識別可能な送信先情報を宛先とし、一方向の通信により送信された送信データを受信する受信工程と、
前記受信工程により受信された送信データの送信先情報により識別される申込対象の申込みを受け付けることができない場合に、代替案を識別可能な送信先情報を含む返信データを作成する返信データ作成工程と、
前記返信データ作成工程により作成された返信データを前記送信データの送信元を宛先として送信する送信工程と、
を含むことを特徴とする情報処理方法。
【請求項１２】
コンピュータを、
申込対象を識別可能な送信先情報を宛先とし、一方向の通信により送信された送信データを受信する受信手段、
前記受信手段により受信された送信データの送信先情報により識別される申込対象の申込みを受け付けることができない場合に、代替案を識別可能な送信先情報を含む返信データを作成する返信データ作成手段、
前記返信データ作成手段により作成された返信データを前記送信データの送信元を宛先として送信する送信手段、
として機能させる情報処理プログラムがコンピュータ読み取り可能に記録された記録媒体。
【請求項１３】
コンピュータを、
申込対象を識別可能な送信先情報を宛先とし、一方向の通信により送信された送信データを受信する受信手段、
前記受信手段により受信された送信データの送信先情報により識別される申込対象の申込みを受け付けることができない場合に、代替案を識別可能な送信先情報を含む返信データを作成する返信データ作成手段、
前記返信データ作成手段により作成された返信データを前記送信データの送信元を宛先として送信する送信手段、
として機能させることを特徴とする情報処理プログラム。
【手続補正２】
【補正対象書類名】明細書
【補正対象項目名】０００６
【補正方法】変更
【補正の内容】
【０００６】
上記課題を解決するために、請求項１に記載の発明は、申込対象を識別可能な送信先情報を宛先とし、一方向の通信により送信された送信データを受信する受信手段と、前記受信手段により受信された送信データの送信先情報により識別される申込対象の申込みを受け付けることができない場合に、代替案を識別可能な送信先情報を含む返信データであって当該返信データに更に返信することにより前記代替案での申込みをすることができる返信データを、前記代替案に基づいて作成する返信データ作成手段と、前記返信データ作成手段により作成された返信データを前記送信データの送信元を宛先として送信する送信手段と、を備えることを特徴とする情報処理装置である。
【手続補正３】
【補正対象書類名】明細書
【補正対象項目名】００１６
【補正方法】変更
【補正の内容】
【００１６】
請求項５に記載の発明は、前記代替案は申込条件を含み、前記送信先情報は申込者が申込条件を推測可能な情報を含むことを特徴とする請求項１乃至４の何れか一項に記載の情報処理装置である。
【手続補正４】
【補正対象書類名】明細書
【補正対象項目名】００１７
【補正方法】変更
【補正の内容】
【００１７】
この発明によれば、申込者は、送信先情報から申込条件を推測することができる。
【手続補正５】
【補正対象書類名】明細書
【補正対象項目名】００２６
【補正方法】変更
【補正の内容】
【００２６】
請求項１０に記載の発明は、前記代替案は申込条件を含み、前記返信データ作成手段が、前記申込対象を識別可能な送信先情報と、前記申込条件を含む返信データを作成し、前記返信データ作成手段により作成された返信データには、当該返信データに含まれる送信先情報が指定された場合に当該送信先情報を宛先とする再送信データであって、当該返信データに含まれる申込条件のうち申込者により指定された申込条件を含む再送信データの作成を補助する補助データが更に含まれ、前記補助データは前記再送信データの送信先情報及び件名に前記代替案に関する情報を設定することを特徴とする請求項１乃至４の何れか一項に記載の情報処理装置である。